【手続補正書】
【提出日】平成16年4月16日(2004.4.16)
【手続補正１】
【補正対象書類名】明細書
【補正対象項目名】特許請求の範囲
【補正方法】変更
【補正の内容】
【特許請求の範囲】
【請求項１】
時刻を示しかつ所定時間毎に信号を出力する時計装置と、
時刻データを記憶すると共に記憶した時刻データが書き換え及び読み出し可能な複数の記憶領域と、
前記複数の記憶領域に記憶された時刻データの書き換えを選択的に指示する指示手段と、
停止時に、前記複数の記憶領域の予め定めた第１の記憶領域に記憶された時刻データにより示される時刻と予め定めた記憶領域以外の第２の記憶領域に記憶された時刻データにより示される時刻との差を演算する演算手段と、
起動時に、前記第１の記憶領域に記憶された時刻データを、前記時計装置により示される時刻データに書き換えかつ前記第２の記憶領域に記憶された時刻データを、第１の記憶領域に書き換えられた時刻データにより示される時刻と前記演算手段により演算された差とを加算した時刻データに書き換え、起動時後でかつ停止時前は、前記時計装置により信号が出力される毎に、前記複数の記憶領域に記憶された時刻データを、該時刻データにより定まる時刻に前記所定時間分加算した時刻データに書き換え、前記指示手段により時刻データの書き換えが指示された場合、選択された時刻データを書き換える書換手段と、
前記複数の記憶領域各々に記憶された時刻データを表示する表示手段と、
を備えた時間管理装置。
【請求項２】
管理装置に通信回線を介して接続され通信端末装置であって、
時刻を示しかつ所定時間毎に信号を出力する時計装置と、
時刻データを記憶すると共に記憶した時刻データが書き換え及び読み出し可能な複数の記憶領域と、
前記複数の記憶領域の少なくとも１つでかつ最大前記複数の記憶領域の総数より１小さい数の記憶領域に記憶された時刻データの書き換えを指示する指示手段と、
停止時に、前記複数の記憶領域の予め定めた第１の記憶領域に記憶された時刻データにより示される時刻と予め定めた記憶領域以外の第２の記憶領域に記憶された時刻データにより示される時刻との差を演算する演算手段と、
起動時に、前記第１の記憶領域に記憶された時刻データを、前記時計装置により示される時刻データに書き換えかつ前記第２の記憶領域に記憶された時刻データを、第１の記憶領域に書き換えられた時刻データにより示される時刻と前記演算手段により演算された差とを加算した時刻データに書き換え、起動時後でかつ停止時前は、前記時計装置により信号が出力される毎に、前記複数の記憶領域に記憶された時刻データを、該時刻データにより定まる時刻に前記所定時間分加算した時刻データに書き換え、前記指示手段により時刻データの書き換えが指示された場合、時刻データを書き換える書換手段と、
前記複数の記憶領域各々に記憶された時刻データを表示する表示手段と、
前記指示手段により時刻データの書き換えが指示されない記憶領域に記憶された時刻データに基づいて、予め定めた処理を実行するための時刻になったか否かを判断する判断手段と、
前記判断手段により前記時刻になったと判断された場合、前記処理を実行する実行手段と、
を備えた通信端末装置。
【請求項３】
時刻を示しかつ所定時間毎に信号を出力する時計手段と、
時刻データを記憶する第１の記憶領域及び第２の記憶領域を有する記憶領域と、
前記時計手段より所定時間毎に出力される信号に応じて前記第１の記憶領域及び前記第２の記憶領域に記憶されている時刻データを所定時間増加するように書き換える時刻データ書き換え手段と、
を備えた時間管理装置であって、
前記時刻データ書き換え手段は、前記時間管理装置の起動時に、前記第１の記憶領域に、前記時計装置により示される時刻データを初期日時として記憶すると共に、前記第２の記憶領域に、当該時刻データに前記第１の記憶領域及び前記第２の記憶領域に前記起動時に記憶されている時刻データの差分データを加算した時刻データを初期日時として記憶する、
ことを特徴とする時間管理装置。
【手続補正２】
【補正対象書類名】明細書
【補正対象項目名】０００６
【補正方法】変更
【補正の内容】
【０００６】
請求項２記載の発明は、管理装置に通信回線を介して接続され通信端末装置であって、時刻を示しかつ所定時間毎に信号を出力する時計装置と、時刻データを記憶すると共に記憶した時刻データが書き換え及び読み出し可能な複数の記憶領域と、前記複数の記憶領域の少なくとも１つでかつ最大前記複数の記憶領域の総数より１小さい数の記憶領域に記憶された時刻データの書き換えを指示する指示手段と、停止時に、前記複数の記憶領域の予め定めた第１の記憶領域に記憶された時刻データにより示される時刻と予め定めた記憶領域以外の第２の記憶領域に記憶された時刻データにより示される時刻との差を演算する演算手段と、起動時に、前記第１の記憶領域に記憶された時刻データを、前記時計装置により示される時刻データに書き換えかつ前記第２の記憶領域に記憶された時刻データを、第１の記憶領域に書き換えられた時刻データにより示される時刻と前記演算手段により演算された差とを加算した時刻データに書き換え、起動時後でかつ停止時前は、前記時計装置により信号が出力される毎に、前記複数の記憶領域に記憶された時刻データを、該時刻データにより定まる時刻に前記所定時間分加算した時刻データに書き換え、前記指示手段により時刻データの書き換えが指示された場合、時刻データを書き換える書換手段と、前記複数の記憶領域各々に記憶された時刻データを表示する表示手段と、前記指示手段により時刻データの書き換えが指示されない記憶領域に記憶された時刻データに基づいて、予め定めた処理を実行するための時刻になったか否かを判断する判断手段と、前記判断手段により前記時刻になったと判断された場合、前記処理を実行する実行手段と、を備えている。
請求項３記載の発明は、時刻を示しかつ所定時間毎に信号を出力する時計手段と、時刻データを記憶する第１の記憶領域及び第２の記憶領域を有する記憶領域と、前記時計手段より所定時間毎に出力される信号に応じて前記第１の記憶領域及び前記第２の記憶領域に記憶されている時刻データを所定時間増加するように書き換える時刻データ書き換え手段と、を備えた時間管理装置であって、前記時刻データ書き換え手段は、前記時間管理装置の起動時に、前記第１の記憶領域に、前記時計装置により示される時刻データを初期日時として記憶すると共に、前記第２の記憶領域に、当該時刻データに前記第１の記憶領域及び前記第２の記憶領域に前記起動時に記憶されている時刻データの差分データを加算した時刻データを初期日時として記憶することを特徴とする。
【手続補正３】
【補正対象書類名】明細書
【補正対象項目名】００１５
【補正方法】変更
【補正の内容】
【００１５】
このように、指示手段により時刻データの書き換えが指示されない記憶領域に記憶された時刻を基準に、予め定めた処理を実行するための時刻になったとき、処理を実行するので、指示手段により時刻データの書き換えが指示されても、予め定めた処理を実行するための時刻になったとき、処理を実行することができる。
請求項３記載の発明の時間管理装置は、時刻を示しかつ所定時間毎に信号を出力する時計手段と、時刻データを記憶する第１の記憶領域及び第２の記憶領域を有する記憶領域と、前記時計手段より所定時間毎に出力される信号に応じて前記第１の記憶領域及び前記第２の記憶領域に記憶されている時刻データを所定時間増加するように書き換える時刻データ書き換え手段と、を備えている。
そして、前記時刻データ書き換え手段は、前記時間管理装置の起動時に、前記第１の記憶領域に、前記時計装置により示される時刻データを初期日時として記憶すると共に、前記第２の記憶領域に、当該時刻データに前記第１の記憶領域及び前記第２の記憶領域に前記起動時に記憶されている時刻データの差分データを加算した時刻データを初期日時として記憶する。
このように、時計手段と、第１の記憶領域及び第２の記憶領域を有する記憶領域と、を備え、起動時に、前記第１の記憶領域に、前記時計装置により示される時刻データを初期日時として記憶すると共に、前記第２の記憶領域に、当該時刻データに前記第１の記憶領域及び前記第２の記憶領域に前記起動時に記憶されている時刻データの差分データを加算した時刻データを初期日時として記憶するので、複数の時計を不用とし、構成を簡易にすることができる。